(57)【要約】【課題】視聴者の姿勢に応じてスクリーンの角度を変更することができるスクリーン装置等を提供する。【解決手段】映像を投影するスクリーン２１と、スクリーン２１を、ボトム側を中心に傾動させるスクリーン傾動機構２２と、を備え、スクリーン傾動機構２２は、スクリーン２１を、ボトム側において繰出し・巻取り自在に保持する巻取り機構２４と、スクリーン２１を、アッパー側において保持するアッパーバー２５と、巻取り機構２４と協働し、アッパーバー２５を天井面Ｃに沿って進退させる進退動機構２６と、を有している。【選択図】図１
2010250135.tif 000002
【特許請求の範囲】
【請求項１】
映像を投影するスクリーンと、
前記スクリーンを、ボトム側を中心に傾動させるスクリーン傾動機構と、を備えたことを特徴とするスクリーン装置。
【請求項２】
前記スクリーン傾動機構は、
前記スクリーンを、ボトム側において繰出し・巻取り自在に保持する巻取り機構と、
前記スクリーンを、アッパー側において保持するアッパーバーと、
前記巻取り機構と協働し、前記アッパーバーを天井面に沿って進退させる進退動機構と、を有していることを特徴とする請求項１に記載のスクリーン装置。
【請求項３】
前記スクリーン傾動機構は、
前記アッパーバーの前記進退動をガイドする一対のガイドレールを、更に有していることを特徴とする請求項２に記載のスクリーン装置。
【請求項４】
前記進退動機構は、前記アッパーバーに連結した索状体と、
前記索状体を繰出し可能に巻き取る巻取り駆動機構と、を含むことを特徴とする請求項２または３に記載のスクリーン装置。
【請求項５】
請求項１ないし４のいずれかに記載のスクリーン装置と、
前記スクリーン装置に映像を投影するプロジェクターと、
映像を視聴する視聴者ためのリクライニングシートに組み込まれ、前記リクライニングシートの背もたれの傾斜角度を検出する角度検出手段と、
前記角度検出手段の検出結果に基づいて、前記スクリーン装置を制御する制御手段と、を備えたことを特徴とする映像視聴システム。
【請求項６】
前記制御手段は、前記角度検出手段の検出結果に基づいて、更に前記プロジェクターの映像の投影角度を調整することを特徴とする請求項５に記載の映像視聴システム。
【請求項７】
前記制御手段は、前記角度検出手段の検出結果に基づいて、更に前記プロジェクターにおいて映像に対しキーストーン補正を実施することを特徴とする請求項５または６に記載の映像視聴システム。
【発明の詳細な説明】
【技術分野】
【０００１】
本発明は、映像を投影するスクリーンを前方に傾斜させるスクリーン装置およびこれを備えた映像視聴システムに関する。
【背景技術】
【０００２】
従来、水平な設置面に直交するスクリーンに対して投影した映像の投影状態を変更する投影状態変更手段と、設置面を移動可能に構成された移動手段と、移動手段により移動した移動量に基づいて移動前後のそれぞれの投影状態から変更量を算出する投影状態演算手段と、を備えた投影装置（プロジェクター）が知られている（特許文献１参照）。
このプロジェクターでは、プロジェクター自体を移動させると、その移動量に応じて、その位置での最適な投影方向等の投影状態の変更量を算出し、その変更量に基づいて映像の投影状態（光量や画角等）を最適な状態に変更することができるようになっている。
【先行技術文献】
【特許文献】
【０００３】
【特許文献１】特開２００８−０８３４１４号公報
【発明の概要】
【発明が解決しようとする課題】
【０００４】
しかし、上記のようなプロジェクターでは、それ自体を移動させるため、プロジェクターの設置場所によっては、移動が制限され、投影状態の変更が適切に行うことができないという問題があった。また、プロジェクターを移動することで、プロジェクターとスクリーンとの関係が映像の投影状態として最適であったとしても、視聴者の姿勢によっては、スクリーンに投影された映像が視聴者にとって見やすいものとならない場合があった。
【０００５】
本発明は、視聴者の姿勢に応じてスクリーンの角度を変更することができるスクリーン装置およびこれを備えた映像視聴システムを提供することを課題としている。
【課題を解決するための手段】
【０００６】
本発明のスクリーン装置は、映像を投影するスクリーンと、スクリーンを、ボトム側を中心に傾動させるスクリーン傾動機構と、を備えたことを特徴とする。
【０００７】
この場合、スクリーン傾動機構は、スクリーンを、ボトム側において繰出し・巻取り自在に保持する巻取り機構と、スクリーンを、アッパー側において保持するアッパーバーと、巻取り機構と協働し、アッパーバーを天井面に沿って進退させる進退動機構と、を有していることが好ましい。
【０００８】
これらの構成によれば、視聴者の姿勢に合わせてスクリーンを傾斜させることができる。これにより、視聴者にとって見やすい角度のスクリーンを提供することができる。
また、繰り出したスクリーンの端部となるアッパーバーを天井面に沿って進退させ、スクリーンの繰り出し或いは巻き取りを行うという単純な構成で、スクリーンを傾斜させることができる。その際、巻取り機構は、スクリーンの巻取り方向に、常に、力（テンション）を作用させ、スクリーンに張りを与える。
【０００９】
また、この場合、スクリーン傾動機構は、アッパーバーの進退動をガイドする一対のガイドレールを、更に有していることが好ましい。
【００１０】
さらに、この場合、進退動機構は、アッパーバーに連結した索状体と、索状体を繰出し可能に巻き取る巻取り駆動機構と、を含むことが好ましい。
【００１１】
これらの構成によれば、一対のガイドレールに沿ってアッパーバーが移動することで、スクリーンを自在に傾斜させることができる。したがって、スクリーンの繰り出し或いは巻き取りを行う際に、スクリーンが弛むことがない。これにより、歪みのない投影面（スクリーン）を形成することができ、プロジェクター等の投影装置からの映像の投影を適切に受けることができる。
【００１２】
本発明の映像視聴システムは、上記したスクリーン装置と、スクリーン装置に映像を投影するプロジェクターと、映像を視聴する視聴者ためのリクライニングシートに組み込まれ、リクライニングシートの背もたれの傾斜角度を検出する角度検出手段と、角度検出手段の検出結果に基づいて、スクリーン装置を制御する制御手段と、を備えたことを特徴とする。
【００１３】
この構成によれば、リクライニングシートの背もたれの傾斜角度に応じてスクリーンを傾斜させることができる。これにより、リクライニングシートに着座した視聴者にとって見やすい角度にスクリーンを自動調整することができる。
【００１４】
この場合、制御手段は、角度検出手段の検出結果に基づいて、更にプロジェクターの映像の投影角度を調整することが好ましい。
【００１５】
また、この場合、制御手段は、角度検出手段の検出結果に基づいて、更にプロジェクターにおいて映像に対しキーストーン補正を実施することが好ましい。
【００１６】
これらの構成によれば、傾斜したスクリーンに対しても、適正な映像を投影することができる。これにより、視聴者は見やすい姿勢で且つ適正な映像を視聴することができる。
【図面の簡単な説明】
【００１７】
【図１】本実施形態（第１実施形態）に係る映像視聴システムの概要図である。
【図２】スクリーン傾動機構を備えたスクリーン装置の正面図である。
【図３】プロジェクターの外観斜視図（ａ）およびプロジェクターの内部構成を示したブロック図（ｂ）である。
【図４】第２実施形態に係る映像視聴システムにおける角度調整機構およびプロジェクターの側面図（ａ）、正面図（ｂ）および映像視聴システムの概要図（ｃ）である。
【発明を実施するための形態】
【００１８】
以下、添付の図面を参照して、本発明の一実施形態に係るスクリーン装置を備えた映像視聴システムについて説明する。この映像視聴システムは、プロジェクターの映像を視聴するユーザー（視聴者）ために、リクライニングシートの背もたれの角度に合わせるように、スクリーンを傾斜させるものである。
【００１９】
図１に示すように、映像視聴システム１は、映像が投影されるスクリーン２１を有し、スクリーン２１の下端部を中心に傾動可能に構成したスクリーン装置２と、スクリーン２１に対して映像を投影するプロジェクター３と、スクリーン２１に投影された映像を視聴するユーザー（視聴者）が着座し、背もたれ４１が傾動可能に構成されたリクライニングシート４と、リクライニングシート４の背もたれ４１の傾斜角度に応じてプロジェクター３およびスクリーン装置２を制御する制御装置５（制御手段）と、を備えている。なお、以降の説明では、プロジェクター３により映像が投影される方向を前方と規定し、その反対方向を後方と規定して説明する。
【００２０】
図１および図２に示すように、スクリーン装置２は、プロジェクター３による映像の投影面を構成するスクリーン２１と、スクリーン２１を、その下端部（ボトム側）を中心に傾動させるスクリーン傾動機構２２と、を備えている。
【００２１】
スクリーン２１は、いわゆるロールスクリーンであり、巻取り機構２４を有するケース２３に収納されている。巻取り機構２４は、上記のケース２３と、ケース２３に回転自在に収納され、スクリーン２１を繰出し・巻取り自在に保持する巻取りドラム２４ａと、巻取りドラム２４ａを巻取り方向に付勢するゼンマイばね等の巻取りばね（図示省略）と、を有している。そして、この巻取りばねにより、スクリーン２１には、常に巻き取り方向にテンションが付与される。また、本実施形態の巻取り機構２４は、鉛直方向下側（床面）に配設され、スクリーン２１は、ケース２３から鉛直方向上側に引き出す（繰り出す）ようになっている。なお、上記のケース２３の配設位置やスクリーン２１の繰り出し方向は、一例であり、これに限られたものではなく、例えば、ケース２３を天井面Ｃに配設し、鉛直方向下側にスクリーン２１を繰り出すようにしてもよい。
【００２２】
スクリーン傾動機構２２は、繰り出されたスクリーン２１の繰出し端部に連結されたアッパーバー２５と、アッパーバー２５を前後方向に進退させる進退動機構２６と、アッパーバー２５の進退動をガイドする一対のガイドレール２７と、を備えている。
【００２３】
アッパーバー２５は、繰り出されたスクリーン２１の端部（アッパー側）に、スクリーン２１の幅方向に沿って接続された棒状の部材である。アッパーバー２５の幅方向両端には、各ガイドレール２７上を転動する一対の車輪２５ａが回転自在に取り付けられている（図２参照）。そして、アッパーバー２５は、一対の車輪２５ａを介してガイドレール２７上を移動自在に構成されている。
【００２４】
進退動機構２６は、アッパーバー２５に連結されたワイヤー２６ａ（索状体）と、アッパーバー２５を介してスクリーン２１を後方に引っ張る駆動モーター２６ｂと、駆動モーター２６ｂの主軸に連結され、ワイヤー２６ａを巻き取る減速器付の巻取り軸２６ｃと、各ガイドレール２７の後方端付近において、ワイヤー２６ａの向きを巻取り軸２６ｃへと向ける滑車２６ｄと、を備えている。なお、請求項に言う「巻取り駆動機構」とは、駆動モーター２６ｂ、巻取り軸２６ｃおよび滑車２６ｄを指す。
【００２５】
駆動モーター２６ｂは、一対のガイドレール２７の後方端付近において、天井裏（天井面Ｃの上側）に設けられている。アッパーバー２５に連結されたワイヤー２６ａは、滑車２６ｄを介して、駆動モーター２６ｂの回転軸に連結された巻取り軸２６ｃに巻き取られる。そして、駆動モーター２６ｂは、後述する制御装置５からの制御信号により、滑車２６ｄを介して所定量（長さ）のワイヤー２６ａを巻き取る（アッパーバー２５を後方に引っ張る）ことができるようになっている。一方、駆動モーター２６ｂを逆転させると、上記の巻取り機構２４の巻き取り力により、ワイヤー２６ａが、巻取り軸２６ｃから繰り出される（アッパーバー２５を前方に引かれる）ようになっている。また、詳細は後述するが、本実施形態では、制御装置５により駆動モーター２６ｂの駆動時間を制御することでワイヤー２６ａの巻き取り量或いは繰り出し量を調整している。なお、上記の駆動モーター２６ｂを配設位置は、一例であり、これに限られたものではない。例えば、ユーザーが着座するリクライニングシート４の後方の床面上等に配設してもよい。
【００２６】
各ガイドレール２７は、断面が「Ｌ」字状の形材で形成されており、映像視聴システム１が設置された部屋の天井面Ｃにおいて、スクリーン２１をケース２３から垂直に繰り出した位置から後方に向かって延在している。また、一対のガイドレール２７は、上記したアッパーバー２５に設けられた一対の車輪２５ａが転動自在に係合するようになっている。そして、上記した駆動モーター２６ｂを駆動させ、アッパーバー２５を一対のガイドレール２７に沿って前後方向に移動させると、スクリーン２１は、張った状態で巻取り機構２４から繰り出され或いは巻き取られ、その下端部を中心にして自在に傾動（角度変化）する。なお、各ガイドレール２７の前方端部および後方端部には、各車輪２５ａの脱落を防止する車止め（図示省略）が、取り外し可能に設けられている。
【００２７】
このスクリーン装置２による映像の投影面の形成手順を説明する。先ず、アッパーバー２５を持ち、スクリーン２１を、巻き取り方向の力に抗してケース２３から引き出し（繰り出し）、アッパーバー２５に設けられた一対の車輪２５ａを、一対のガイドレール２７に載せ、ワイヤー２６ａを接続する。この状態で、スクリーン２１は、床面に対し垂直な投影面を形成している（図１において実線で示したスクリーン２１を参照）。なお、以下の説明では、この状態を、スクリーン２１の初期位置と規定する。
【００２８】
この初期位置から駆動モーター２６ｂを駆動（正転）させ、ワイヤー２６ａを巻き取ると、アッパーバー２５は、一対のガイドレール２７沿って後方に移動する。すると、スクリーン２１は、巻取り機構２４から繰り出されながら、ケース２３（巻取りドラム２４ａ）の軸心を回転中心として後方に傾いて行く。すなわち、スクリーン２１は、床面に対して後方に傾斜した投影面を形成することとなる（図１において二点破線で示したスクリーン２１を参照）。このように、繰り出したスクリーン２１の端部となるアッパーバー２５を天井面Ｃに沿って進退させるという単純な構成で、スクリーン２１を傾斜させることができる。
【００２９】
次に、スクリーン２１が傾斜した状態から、駆動モーター２６ｂを逆転させると、巻取り機構２４により、スクリーン２１は、ケース２３内に巻き取られて行く。これにより、スクリーン２１は、弛むことなくケース２３内に巻き取られ、やがて、スクリーン２１は、初期位置まで戻る。これにより、歪みのないスクリーン２１を形成することができ、プロジェクター３からの映像を適切（スクリーン２１に対して略垂直）に投影することができる。
【００３０】
続いて、図１および図３を参照して、プロジェクター３について説明する。プロジェクター３は、スクリーン２１に対して映像を投影するものであり、本実施形態では、スクリーン装置２とリクライニングシート４との間の床面上に、プロジェクター３の投影方向を僅かに上側に向けた状態で配設している（図１参照）。なお、このプロジェクター３を配設位置は、一例であり、これに限られたものではなく、例えば、天井面Ｃに吊り下げるようにしてもよい。
【００３１】
図３に示すように、プロジェクター３は、これの筐体３１上面に位置してユーザー（視聴者）により操作される電源ボタン等が配設された操作部３２と、パーソナルコンピューター（ＰＣ）等の外部装置（図示省略）から映像信号を受信する受信部３３と、外部装置から供給された映像信号を入力し、投影用の映像データに変換する映像信号処理部３４と、映像をスクリーン２１に投射する投影部３５と、プロジェクター３を制御する制御部３６と、を備えている。
【００３２】
受信部３３は、各種ケーブル等（図示省略）を介して外部装置と接続するためのコネクター（例えば、ＵＳＢコネクター，Ｄ−Ｓｕｂ，ＤＶＩ−Ｄ，Ｓ端子等）等を有し、外部装置とのデータ通信に関する制御を行う。
【００３３】
映像信号処理部３４は、外部から供給された映像信号を受け、プロジェクター３の内部で処理可能な形式の映像データに変換する。そして、変換した映像データに対して、輝度調整、色バランス調整、コントラスト調整などの画質調整を行う。また、映像信号処理部３４は、変換された投影用の映像データに対し、キーストーン補正（台形補正）を実行することができるように構成されている。この場合、後述する制御装置５による背もたれ４１の傾斜角度の算出結果に基づいて、変換された投影用の映像データに対し、適切なキーストーン補正を施す。これにより、傾斜したスクリーン２１に対しても歪みのない適正な映像を投影することができる。
【００３４】
投影部３５は、液晶パネル３５ａを制御する液晶パネル制御部３５ｂと、投影光の光源となる光源ランプ３５ｃを制御する光源ランプ制御部３５ｄと、光源ランプ３５ｃからの投影光をスクリーン２１上に拡大投影する投影レンズ３５ｅの駆動を制御するレンズ制御部３５ｆと、を備えている。また、レンズ制御部３５ｆは、投影角度を僅かに変更することができるレンズシフト機能と、スクリーン２１に投影する映像の合焦を行うレンズフォーカス機能と、を有している。本実施形態の投影部３５は、Ｒ・Ｇ・Ｂ３色の液晶パネル３５ａを有し、３色の映像を合成してスクリーン２１に投影する。
【００３５】
制御部３６は、制御に必要な演算処理を行うＣＰＵ３６ａと、各種処理を行う際の作業領域（ワーク領域）として使用されるＲＡＭ３６ｂと、プロジェクター３を制御するための制御プログラムなどが記憶されたフラッシュＲＯＭ３６ｃと、を有し、プロジェクター３を統括制御する。
【００３６】
次に、図１を参照して、リクライニングシート４について説明する。リクライニングシート４は、その背もたれ４１を後方へ傾動させる傾動モーター４２と、背もたれ４１の傾斜角度を検出する角度検出センサー４３（角度検出手段）と、を備えている。傾動モーター４２は、ブレーキ機能付のギヤードモーターであり、ユーザーの指示により、背もたれ４１の傾斜角度を細かく調整することができ、且つその傾斜角度を維持することができるようになっている。なお、背もたれ４１は、ユーザーが手動（背もたれ４１に対し後方に力を加える）で、傾斜させるようにしてもよい。
【００３７】
角度検出センサー４３は、加速度センサー等であり、背もたれ４１に内蔵され、背もたれ４１の傾斜角度を検出することができるようになっている。この角度検出センサー４３で検出した傾斜角度の情報は、後述する制御装置５に送信され、スクリーン装置２の投影面の傾斜角度およびプロジェクター３の投影角度を調整するために用いられる。なお、本実施形態では、角度検出センサー４３で背もたれ４１の傾斜角度を検出しているが、角度検出センサー４３を省略し、傾動モーター４２を回転角度検出が可能なサーボモーターで構成し、或いはエンコーダーを設け、この傾動モーター４２やエンコーダーの回転角度から背もたれ４１の傾斜角度を算出するようにしてもよい。
【００３８】
続いて、図１を参照して、制御装置５および制御装置５による映像視聴システム１の制御手順について説明する。制御装置５は、リクライニングシート４（の背もたれ４１）に内蔵された角度検出センサー４３の検出結果を用いて、スクリーン装置２を傾斜させると共に、プロジェクター３で投影する映像を調整する。なお、以下の説明では、リクライニングシート４の背もたれ４１が、床面に対して垂直となっている状態を、背もたれ４１の初期位置と規定する。また、請求項に言う「制御手段」とは、制御装置５および映像信号処理部３４を指す。
【００３９】
詳細には、ユーザーが、背もたれ４１を初期位置から傾斜させる（図１において二点破線で示した背もたれ４１を参照）と、この傾斜角度を角度検出センサー４３が検出し、この検出結果が制御装置５に送信される。すると、この検出結果から背もたれ４１の傾斜角度が算出され、この算出された傾斜角度に基づいて、スクリーン傾動機構２２の駆動モーター２６ｂの駆動時間が算出される。そして，制御装置５は、算出された駆動時間だけ駆動モーター２６ｂを駆動すると、スクリーン２１は、背もたれ４１の傾斜角度と略同一となる。
【００４０】
なお、駆動モーター２６ｂの駆動時間とスクリーン２１の傾斜角度との対応関係は、予め求めておき制御装置５のＲＯＭ等に記憶装置に記憶されているものとする。これにより、リクライニングシート４に着座したユーザーにとって見やすい角度のスクリーン２１を形成することができる。なお、本実施形態では、駆動モーター２６ｂの駆動時間を制御することでワイヤー２６ａの巻き取り量或いは繰り出し量を調整しているが、例えば、巻取り軸２６ｃの回転数を検出するセンサーやエンコーダー等を設け、巻取り軸２６ｃの回転数からワイヤー２６ａの巻き取り量等を求めるようにしてもよいし、駆動モーター２６ｂを角度検出が可能なサーボモーターで構成し、検出した角度に基づいて巻き取り量等を求めてもよい。
【００４１】
また、これと並行して、プロジェクター３の映像信号処理部３４は、制御装置５による背もたれ４１の傾斜角度の算出結果に基づいて、変換された投影用の映像データに対し、キーストーン補正を実行する。そして、キーストーン補正後の映像を、投影部３５を介して傾斜したスクリーン２１に投影する。また、適宜、レンズシフト機能およびレンズフォーカス機能を用いて、投影される映像の調整（拡大または縮小、合焦等）を行う。これにより、傾斜したスクリーン２１であっても歪みのない適正な映像を投影することができる。
【００４２】
以上の構成によれば、リクライニングシート４に着座したユーザー（視聴者）の姿勢に合わせてスクリーン２１を傾斜させることができ、ユーザーにとって見やすい角度のスクリーン２１を提供することができる。これにより、ユーザーは、視聴しやすい姿勢で且つ歪みのない適正な映像を視聴することができる。
【００４３】
次に、他の実施形態（第２実施形態）に係る映像視聴システム１について説明する。上述の実施形態（第１実施形態）では、プロジェクター３の映像信号処理部３４によるキーストーン補正により、傾斜したスクリーン２１に対して適正な映像を投影するようにしていたが、第２実施形態に係る映像視聴システム１では、これに代えて、または、これと共に、プロジェクター３の姿勢を制御して投影角度を変更する角度調整機構６を更に備えている。なお、角度調整機構６以外の説明は、上述の第１実施形態と同様であるため省略する。
【００４４】
図４に示すように、角度調整機構６は、プロジェクター３を搭載する板状の角度調整台６１と、角度調整台６１を前後方向（ピッチ軸方向）に傾ける角度調整軸部６２と、角度調整軸部６２を支持するベースプレート６３と、角度調整軸部６２の駆動源となる角度調整モーター６４と、を備えている。なお、角度調整モーター６４は、ブレーキ機能付のギヤードモーターで構成されている。
【００４５】
角度調整軸部６２は、ベースプレート６３上に固定された前面視Ｕ字状（図４（ｂ）参照）の固定部６５と、固定部６５の間に回動自在に支持されたブロック状の回動部６６と、を備えている。固定部６５は、鉛直方向上側を開放し、回動部６６を挟むようにして、ピッチ軸方向に回動自在にピン６７により軸支されている。また、回動部６６の上端面には、角度調整台６１が固定されている。そして、固定部６５の一方の側面に配設された角度調整モーター６４を駆動することで、ピン６７を回転中心として、回動部６６をピッチ軸方向に回動させることができるようになっている（図４（ａ）参照）。これにより、角度調整台６１上に搭載されたプロジェクター３を、ピッチ軸方向に対して任意の角度に傾けることができる。
【００４６】
具体的には、スクリーン２１を、初期位置（床面に垂直）から後方に傾斜させた場合、制御装置５は、背もたれ４１の傾斜角度に基づいて、角度調整モーター６４の駆動時間を算出する。そして、算出した駆動時間だけ角度調整モーター６４を駆動して、プロジェクター３の姿勢を前方斜め上向きに回動させる（図４（ｃ）参照）。これにより、初期位置のスクリーン２１に対するプロジェクター３からの投影角度と、傾斜したスクリーン２１に対するそれとが、相対的に略同一角度を維持することができるため、歪みのない適正な映像を投影することができる。なお、角度調整モーター６４を回転角度の検出が可能なサーボモーター等で構成し、制御装置５が算出した傾斜角度に基づいて、プロジェクター３を回動させてもよい。また、適宜、映像信号処理部３４により映像にキーストーン補正を施すようにしてもよい。さらに、傾斜したスクリーン２１に映像を投影する場合には、投影部３５のレンズ制御部３５ｆのレンズシフト機能およびレンズフォーカス機能を用いて、適宜、投影される映像の調整（拡大または縮小、合焦等）を行うことが好ましい。
【００４７】
ここで、極端なキーストーン補正を行うと、投影用の映像が乱れたり、画質が劣化する等の問題を生ずることが、一般的に知られている。しかし、この構成によれば、主に角度調整機構６による投影角度の調整を行うことで、投影する映像を高画質に維持することができ、且つ角度調整機構６またはキーストーン補正のどちらか一方のみでは、補正しきれない映像の歪みも、確実に補正することができる。
【符号の説明】
【００４８】
１：映像視聴システム、２：スクリーン装置、３：プロジェクター、４：リクライニングシート、５：制御装置、６：角度調整機構、２１：スクリーン、２２：スクリーン傾動機構、２４：巻取り機構、２５：アッパーバー、２６：進退動機構、２６ａ：ワイヤー、２７：ガイドレール、４１：背もたれ、４３：角度検出センサー
【図１】
2010250135.tif 000003
【図２】
2010250135.tif 000004
【図３】
2010250135.tif 000005
【図４】
2010250135.tif 000006